(57)【要約】  【課題】利用者が所望する楽曲をカラオケ演奏装置へリクエストする際、所定の検索エンジンを付帯するカラオケリモコン装置を用いて、利用者が、より容易かつ迅速に、その楽曲コードを特定するための検索結果表示システムの提供。  【解決手段】所定の楽曲データベースに対する任意の検索条件に基づき、ヒットした楽曲情報を一覧表示する際、演奏頻度ないし予約頻度の高い楽曲が含まれていた場合、これを降順にソートして優先的に検索結果の一覧表示の冒頭部分に表示させる。【選択図】図９
2005107259.tif 000002
【特許請求の範囲】
【請求項１】
利用者が所望する楽曲のリクエストの際、その楽曲コードを特定するための検索結果表示システムにおいて、楽曲の所定期間の演奏頻度情報を記録している楽曲データベースに対する任意の検索条件に基づき、ヒットした楽曲情報を一覧表示する際、前記演奏頻度情報における所定の頻度数ないし頻度割合以上の楽曲が含まれていた場合、その該当する楽曲を、前記一覧表示の少なくとも冒頭部分に、その頻度数ないし頻度割合の降順にソートして表示することを特徴とする楽曲検索結果表示システム。
【請求項２】
利用者が所望する楽曲のリクエストの際、その楽曲コードを特定するための検索結果表示システムにおいて、楽曲の所定期間の予約頻度情報を記録している楽曲データベースに対する任意の検索条件に基づき、ヒットした楽曲情報を一覧表示する際、前記演奏頻度情報における所定の頻度数ないし頻度割合以上の楽曲が含まれていた場合、その該当する楽曲を、前記一覧表示の少なくとも冒頭部分に、その頻度数ないし頻度割合の降順にソートして表示することを特徴とする楽曲検索結果表示システム。
【請求項３】
前記楽曲データベースが、カラオケリモコン装置内に設定されてなる請求項１ないし請求項２記載の楽曲検索結果表示システム。
【請求項４】
前記楽曲データベースが、カラオケ演奏装置内に設定されてなる請求項１ないし請求項２記載の楽曲検索結果表示システム。
【請求項５】
前記楽曲データベースが、カラオケホスト装置内に設定されてなる請求項１ないし請求項２記載の楽曲検索結果表示システム。
【発明の詳細な説明】
【技術分野】
【０００１】
本発明は、利用者が所望する楽曲をカラオケ演奏装置へリクエストする際、所定の検索エンジンを付帯するカラオケリモコン装置を用いて、その楽曲コードを特定するための検索結果表示システムに関する。
【背景技術】
【０００２】
利用者が所望する楽曲をカラオケ演奏装置にリクエストする場合、通常は、当該カラオケ演奏装置に付属のカラオケリモコン装置で楽曲コードを入力する。すなわち、リモコン装置が楽曲コードを含んだ予約コマンドをカラオケ演奏装置に向けて送信すれば、カラオケ演奏装置は予約コマンド中の楽曲コードを受け取り、その入力順と楽曲コードとを対応づけて演奏予約の待ち行列で管理し、その楽曲を演奏する順番になると、当該楽曲を演奏するものである。
【０００３】
従来、このような楽曲コードを検索するためには、一般的には、カラオケ目次本を利用する。このカラオケ目次本とは、利用者が所望する楽曲の楽曲コードを、曲名や歌手名あるいは様々な条件を手がかりに検索できるように、複数の分類方法によって楽曲情報が記載されている冊子状のものである。利用者はこのカラオケ目次本により、直接曲名でリクエストすべき楽曲を探したり、歌手名を頼りに曲名を探したりして、リクエストする楽曲に対応付けされている楽曲コードを特定する。
【０００４】
ところで、最近、検索エンジンを付帯し、利用者と対話処理により楽曲を検索可能で、その楽曲コードをカラオケ演奏装置に送信する、通称「電子目次本」と呼ばれるカラオケリモコン装置が開発され、これを設置しているカラオケ店舗が著しく増加している。
図１は、このような電子目次本タイプのカラオケリモコン装置の概略的な斜視図であるが、カラオケリモコン装置（Ｒ１）本体の形状は、両手を軽く開いた状態で持てる程度の幅長を有した横長サイズのパネル状のもので、その本体前面には液晶ディスプレイ（通称ＬＣＤ）（Ｒ２）が配設されており、さらに、この液晶ディスプレイ（Ｒ２）の表面部にはタッチパネル式の操作パネル（Ｒ３）が積層されている。また、その上端面には発光ダイオード（通称ＬＥＤ）による赤外線転送部（Ｒ４）が設けられ、その下端面には、所定のカラオケ演奏装置との通信機能並びにカラオケリモコン装置（Ｒ１）本体への充電機能を有する、通称「クレードル」に装着して接続するための接続端子（Ｒ５）がある。さらに、側面部などには外部のコンピュータとデータ通信を行うためのＲＳ２３２Ｃ規格のインターフェイス用端子が配設されている場合もある。
【０００５】
この電子目次本には、検索エンジンと共に、演奏可能な多数の楽曲について多種多様な情報を関連付けした楽曲情報を管理する楽曲データベースを付帯しており、この楽曲データベースの楽曲情報は、カラオケホスト装置内に設置された主たる楽曲データベースから通信回線を通じて接続されたカラオケ演奏装置（演奏端末）を介し、上記クレードルを利用して絶えず更新される。そして、当該楽曲データベースへの利用者インターフェイスである上記液晶ディスプレイに、検索条件やヒットした検索結果を一覧表示させながら、目的とする楽曲を絞り込んで検索し、最終的に１つの楽曲が選出されたならば、その楽曲コードをカラオケ演奏装置に転送して演奏予約をするものである。
【０００６】
ここで、上記電子目次本を用いた楽曲の検索方法について具体的に詳述する。図２は、電子目次本の液晶ディスプレイにおける検索条件の選択画面の概略的説明図であるが、この検索条件の選択画面（１１）には、新譜検索、デュエット検索、歌手名検索、ジャンル検索（ロック、演歌などの範疇検索）、曲名検索、「りれき１００」検索（楽曲予約数ベスト１００）、「あの頃」検索（楽曲の発表年次検索）などといった様々な検索条件を選択するためのアイコン（１２）、（１２）…が設けられ、利用者は所望の検索条件に対応するアイコン（１２）を指先でタッチすると、電子目次本が付帯する楽曲データベースとその検索エンジンを用いることができる。
【０００７】
次に、図３は上記液晶ディスプレイにおけるキーワード検索入力画面の概略的説明図である。このキーワード検索入力画面（１３）では、先ず、図３の（イ）は、「曲名」を検索条件に選択した場合の検索入力画面であるが、利用者のリクエスト楽曲に関わるキーワードを入力する際、画面中央部に五十音順に整列された平仮名表示アイコン（１４）、（１４）…を用い、画面上部の検索用のキーワード入力部（１５）には任意の平仮名表示アイコン（１４）を選択し、タッチして入力するようになっている。
この時、利用者は、曲名や歌手名を完全に覚えていない場合、直接的に所望の楽曲を特定できないため、通常は、覚えている部分の表記を入力し、この条件にての検索により、ヒットした複数の楽曲から、間接的に所望の楽曲を特定する。例えば、図３の（ロ）においては、検索用のキーワード入力部（１５）に、利用者が所望する曲名の頭部分である「あいの」（愛の）を入力した場合の検索入力画面が表示されている。また、このキーワード入力の内容に応じて、楽曲情報のヒット数表示部（１６）には、例えば「１８４」のヒット曲数が表示される。
【０００８】
次に、図４は図３におけるキーワード検索入力に基づいた検索結果表示画面の概略的説明図であるが、この検索結果表示画面（１７）では、上記キーワード入力部（１５）で入力された、「あいの」で始まる曲名の検索条件に基づき、ヒットした楽曲情報（曲名・歌手名）一覧（１８）が複数ページに亘って表示されており、この図４に示すのは、その第１ページ目の画面である。
【０００９】
このような電子目次本を用いた楽曲の検索に係わる技術としては、例えば、特開２０００−９９０４０号には、キーワード検索をする際、一致する文字列を含んだ文節があった場合、その文節が属する楽曲の同一文節の表示用歌詞データを取得し、そのデータに基づいて当該文節の歌詞と曲名をディスプレイに表示するといった内容が開示されているが、楽曲検索結果表示に関しては、この特開２０００−９９０４０号にもあるように、通常は「あいうえお順（五十音順）」にソートされて表示される。
【００１０】
例えば、図５は図４における検索結果表示の詳細説明図であるが、これに示すように、「あいの」で始まる曲名の検索条件に基づいてヒットした楽曲情報（曲名・歌手名）一覧（１８）では「愛の青山（「あ」おやま）」（１８ａ）、「愛の形（「か」たち）」（１８ｂ）、「愛の気持ち（「き」もち）」（１８ｃ）、「愛の口づけ（「く」ちづけ）」（１８ｄ）、「愛の熊五郎（「く」まごろう）」（１８ｅ）、「愛の熊本（「く」まもと）」（１８ｆ）、「愛の山河（「さ」んが）」（１８ｇ）、「愛の青春（「せ」いしゆん）」（１８ｈ）というように表示されるが、これは「あいの」という特定の条件を満たす部分以降は、平仮名文字「あ」、「か」、「き」、「く」、「さ」、「し」に基づき、五十音順でソートして表示した結果である。さらに、「愛の口づけ（「く」「ち」づけ）」（１８ｄ）、「愛の熊五郎（「く」「ま」ごろう）」（１８ｅ）、「愛の熊本（「く」「ま」もと）」（１８ｆ）、と順に表示されているのは、「あいの」の次に共通した平仮名文字「く」に続く次の平仮名文字「ち」、「ま」に基づき、五十音順でソートすると共に、「愛の熊五郎（「く」「ま」「ご」ろう）」（１８ｅ）、「愛の熊本（「く」「ま」「も」と）」（１８ｆ）における平仮名文字「く」、「ま」に続く次の平仮名文字「ご」、「も」に基づき、五十音順でソートして表示した結果である。
【特許文献１】特開２０００−９９０４０号公報
【発明の開示】
【発明が解決しようとする課題】
【００１１】
以上説明したように、任意の検索条件に基づき、ヒットした楽曲情報を一覧表示する場合、通常、如何なる検索条件であっても、その検索結果は、その特定の条件を満たす部分以降は、一定の法則にて五十音順でソートされて表示されるのが一般的である。例えば、前述した例は曲名を検索条件にしたものであるが、歌手名やジャンルなどを検索条件としたとしても、その検索結果の特定の条件を満たす部分以降は、五十音順でソートされて表示される。これは、当然のことながら、日本人が平仮名の五十音に慣れ親しんでいるためであり、ソートされた五十音を順に追って行けば、所望の楽曲を確実に探し出せるからである。
【００１２】
しかしながら、検索結果の特定の条件を満たす部分以降がソートされた五十音順であっても、これを五十音順に肉眼で追って行くこと自体が手間である。しかも、最近のカラオケ演奏装置が保有する演奏楽曲が膨大な数に至っており、その保有数の増加に伴って必然的にヒットされる検索結果も多くなるため、利用者がリクエストする楽曲コードを特定する手間や時間も増大する傾向にあるといった不都合がある。
そこで、本発明は、上記不都合を解消するために想到されたもので、利用者が所望する楽曲をカラオケ演奏装置へリクエストする際、所定の検索エンジンを付帯するカラオケリモコン装置を用いて、利用者が、より容易かつ迅速に、その楽曲コードを特定するための検索結果表示システムの提供を課題とする。
【課題を解決するための手段】
【００１３】
上記課題を解決するため、カラオケ演奏装置が保有する演奏楽曲が如何に膨大になっても、実際に歌唱される楽曲は、所定の期間では、一般的な利用者による人気の高さで、ある程度限定されてしまうことが判明され、この傾向を利用して、所定の楽曲データベースに対する任意の検索条件に基づき、ヒットした楽曲情報を一覧表示する際、演奏頻度ないし予約頻度の高い楽曲が含まれていた場合、これをソートして優先的に検索結果の一覧表示の冒頭部分に表示させることにより、利用者が、より容易かつ迅速に楽曲コードを特定できることを見い出し、本発明を想到した。
【００１４】
すなわち、本発明の請求項１記載の楽曲検索結果表示システムは、利用者が所望する楽曲のリクエストの際、その楽曲コードを特定するための検索結果表示システムにおいて、楽曲の所定期間の演奏頻度情報を記録している楽曲データベースに対する任意の検索条件に基づき、ヒットした楽曲情報を一覧表示する際、前記演奏頻度情報における所定の頻度数ないし頻度割合以上の楽曲が含まれていた場合、その該当する楽曲を、前記一覧表示の少なくとも冒頭部分に、その頻度数ないし頻度割合の降順にソートして表示することを特徴とする。
【００１５】
さらに、本発明の請求項２記載の楽曲検索結果表示システムは、利用者が所望する楽曲のリクエストの際、その楽曲コードを特定するための検索結果表示システムにおいて、楽曲の所定期間の予約頻度情報を記録している楽曲データベースに対する任意の検索条件に基づき、ヒットした楽曲情報を一覧表示する際、前記演奏頻度情報における所定の頻度数ないし頻度割合以上の楽曲が含まれていた場合、その該当する楽曲を、前記一覧表示の少なくとも冒頭部分に、その頻度数ないし頻度割合の降順にソートして表示することを特徴とする。
【００１６】
また、本発明の請求項３記載の楽曲検索結果表示システムは、上記請求項１記載ないし請求項２記載の楽曲検索結果表示システムにおいて、上記楽曲データベースが、カラオケリモコン装置内に設定されてなることを特徴とする。
【００１７】
そして、本発明の請求項４記載の楽曲検索結果表示システムは、上記請求項１記載ないし請求項２記載の楽曲検索結果表示システムにおいて、上記楽曲データベースが、カラオケ演奏装置内に設定されてなることを特徴とする。
【００１８】
また、本発明の請求項５記載の楽曲検索結果表示システムは、上記請求項１記載ないし請求項２記載の楽曲検索結果表示システムにおいて、前記楽曲データベースが、カラオケホスト装置内に設定されてなることを特徴とする。
【発明の効果】
【００１９】
本発明の請求項１記載の楽曲検索結果表示システムによれば、所定の検索エンジンを付帯するカラオケリモコン装置を用いて利用者が所望する楽曲を検索する際、特に人気の高い楽曲、すなわち、その人気の高さのバロメータたる演奏頻度数ないし演奏頻度割合の高いものがあれば、これを優先的に一覧表示の冒頭部分に表示させるため、利用者が最初に目に付く部分に、当該人気の高い楽曲を配したことにより、利用者が、より容易かつ迅速に楽曲コードを特定できる。
【００２０】
本発明の請求項２記載の楽曲検索結果表示システムによれば、所定の検索エンジンを付帯するカラオケリモコン装置を用いて利用者が所望する楽曲を検索する際、特に人気の高い楽曲、すなわち、その人気の高さのバロメータたる予約頻度数ないし予約頻度割合の高いものがあれば、これを優先的に一覧表示の冒頭部分に表示させるため、利用者が最初に目に付く部分に、当該人気の高い楽曲を配したことにより、利用者が、より容易かつ迅速に楽曲コードを特定できる。
【００２１】
本発明の請求項３記載の楽曲検索結果表示システムによれば、楽曲データベースがカラオケリモコン装置内に設定されており、個々のカラオケリモコン装置にて独自の演奏頻度ないし予約頻度を集計できるため、カラオケリモコン装置毎という極めて狭い範疇における人気の高い楽曲が判別でき、ある程度限定した利用者の好みに対応することができる。
【００２２】
本発明の請求項４記載の楽曲検索結果表示システムによれば、楽曲データベースがカラオケ演奏装置内に設定されており、個々のカラオケ演奏装置にて独自の演奏頻度ないし予約頻度を集計できるため、カラオケ演奏装置毎という地域性を含んだ範疇にて人気の高い楽曲が判別でき、特定地域での利用者の好みに対応することができる。
【００２３】
本発明の請求項５記載の楽曲検索結果表示システムによれば、楽曲データベースがカラオケホスト装置内に設定されており、カラオケホスト装置にて演奏頻度ないし予約頻度を集計できるため、カラオケホスト装置というグローバルな範疇にて人気の高い楽曲を判別でき、極めて広い地域での利用者の好みに対応することができる。
【発明を実施するための最良の形態】
【００２４】
以下、本発明の楽曲検索結果表示システムについて、最適な実施例を挙げて詳述する。
【実施例１】
【００２５】
図６は、本発明の楽曲データベースにおけるデータテーブルの概略図であるが、この楽曲データテーブル（１）では、楽曲コードフィールド（２）、歌手名フィールド（５）、曲名フィールド（６）［通常、８桁の読み仮名フィールドと８桁の英数字フィールドからなる］などといった楽曲の基本的な属性データフィールドに加え、演奏頻度フィールド（３）と予約頻度フィールド（４）が付帯されている。
【００２６】
このような楽曲の所定期間の演奏頻度情報を記録している楽曲データベースは、カラオケリモコン装置内、カラオケ演奏装置内ないしカラオケホスト装置内の何れかに設定されるものであるが、楽曲の所定期間の頻度情報は、設定条件により集計を異にすることができるため、例えば、極めて狭い範疇における人気の高い楽曲を判別し、ある程度限定した利用者の好みに対応する目的であればカラオケリモコン装置内に、また、地域性を含んだ範疇にて人気の高い楽曲を判別し、特定地域での利用者の好みに対応する目的であればカラオケ演奏装置内に、あるいは、グローバルな範疇にて人気の高い楽曲を判別し、極めて広い地域での利用者の好みに対応する目的であれば、カラオケホスト装置内に設定するのが好ましい。ただし、本発明は、これに限定されることなく、カラオケリモコン装置内、カラオケ演奏装置内ないしカラオケホスト装置内の何れの楽曲データベースも共有させることもできるが、この場合には、上記のような目的別に対応することはない。
【００２７】
次に、図７は、上記楽曲データテーブルにおける演奏頻度フィールドの詳細図である。その演奏頻度情報（７）が示すように、楽曲コードフィールド（２）［Ｃ〜と表示しているが、通常は６桁の数字からなる］における各楽曲コードに対応して、演奏頻度数フィールド（３ａ）と演奏頻度割合フィールド（３ｂ）からなる演奏頻度フィールド（３）に所定の頻度データが記録されている。そして、この演奏頻度情報（７）において、所定の頻度数ないし頻度割合以上の楽曲、例えば「演奏頻度数１００以上」という条件設定では、これに対応した演奏頻度情報（７ａ）に示すように、１０件の楽曲が特定される。したがって、この演奏頻度情報（７ａ）にある楽曲が、任意の検索条件に基づき、ヒットした楽曲情報に含まれていた場合、その該当する楽曲が、その一覧表示の冒頭部分に降順（例えば、上から楽曲コードＣ５→Ｃ１０５３→Ｃ８６→Ｃ７）で表示される。
【００２８】
また、図８は、上記楽曲データテーブルにおける予約頻度フィールドの詳細図である。その予約頻度情報（８）が示すように、楽曲コードフィールド（２）における各楽曲コードに対応して、予約頻度数フィールド（４ａ）と予約頻度割合フィールド（４ｂ）からなる予約頻度フィールド（４）に所定の頻度データが記録されている。そして、この演奏頻度情報（８）において、所定の頻度数ないし頻度割合以上の楽曲、例えば「予約頻度割合７％以上」という条件設定では、これに対応した演奏頻度情報（８ａ）に示すように、６件の楽曲が特定される。したがって、この演奏頻度情報（８ａ）にある楽曲が、任意の検索条件に基づき、ヒットした楽曲情報に含まれていた場合、その該当する楽曲が、その一覧表示の冒頭部分に降順（例えば、上から楽曲コードＣ１０５５→Ｃ８６→Ｃ１３８）で表示される。
【００２９】
なお、本発明の頻度情報における「所定期間」については、特に限定はなく、例えば、所定日（使用当日など）から過去に遡った所定の日単位（例えば、過去３０日）、月単位（例えば、過去３ヶ月）、年単位（例えば、過去１年）の期間でも、あるいは、特定期間（例えば、○○年△△月〜××年□□月）を設定しても構わない。
また、演奏頻度情報ないし予約頻度情報において、所定の頻度数ないし頻度割合以上の楽曲の設定を、上記条件の他、例えば、ベスト〜（例えば、ベスト１０）というように、「上位から何曲まで」というような特定方法であっても構わない。
【００３０】
本発明では、任意の検索条件に基づき、ヒットした楽曲情報を一覧表示する際、頻度情報における所定の頻度数ないし頻度割合以上の楽曲が含まれていた場合、その一覧表示の冒頭部分に、その頻度数ないし頻度割合の降順にソートして表示するものであるが、例えば、前述した図３の（ロ）において、検索用のキーワード入力部（１５）に、利用者が所望する曲名の頭部分である「あいの」（愛の）を入力した場合、図９は、本発明のシステムに基づく検索結果表示画面の概略的説明図であり、この検索結果表示画面（９）では、所定の頻度数ないし頻度割合以上の楽曲、例えば、「愛の三番町」（９ａ）、「愛の子猫物語」（９ｂ）、「愛のボランティア」（９ｃ）という３曲の楽曲が含まれていた場合、これがその一覧表示の冒頭部分（１０ａ）にアクセス頻度の降順で表示される。そして、その冒頭部分（１０ａ）に続く部分（１０ｂ）では、従来通り、五十音順でソートされて表示される。なお、この冒頭部分（１０ａ）に表示された３曲については、これに続く部分（１０ｂ）において、通常は、その表示が削除されているものであるが、五十音順でソートされた本来の順番で残しておいても構わず、少なくとも冒頭部分（１０ａ）に表示されていればよい。
【００３１】
なお、演奏頻度ないし予約頻度の高い楽曲が掲載された冒頭部分（１０ａ）については、特に、当該部分とこれに続く部分との識別や、当該部分のアイキャッチの強化として、この冒頭部分（１０ａ）に網掛け模様を付したり、矩形枠で囲んだり、あるいは当該部分の文字のフォントや大きさを代えたりしても構わない。
【００３２】
以上、詳述した如く、本発明の楽曲検索結果表示システムによれば、所定の検索エンジンを付帯するカラオケリモコン装置を用いて、所定の楽曲データベースに対する任意の検索条件に基づき、ヒットした楽曲情報を一覧表示する際、楽曲の演奏頻度ないし予約頻度の高い楽曲が含まれていた場合、これを優先的に楽曲情報の一覧表示の冒頭部分に表示させることにより、利用者が、より容易かつ迅速に楽曲コードを特定できるものである。
【００３３】
なお、本発明は、その基本概念を逸脱しない限り、種々の改変をなすことができると共に、その権利は当該改変されたものにも及ぶものである。
【図面の簡単な説明】
【００３４】
【図１】電子目次本タイプのカラオケリモコン装置の概略的な斜視図。
【図２】検索条件の選択画面の概略的説明図。
【図３】キーワード検索入力画面の概略的説明図。
【図４】検索結果表示画面の概略的説明図。
【図５】図４における検索結果表示の詳細説明図。
【図６】楽曲データベースにおけるデータテーブルの概略図。
【図７】図６のデータテーブルにおける演奏頻度フィールドの詳細図。
【図８】図６のデータテーブルにおける予約頻度フィールドの詳細図。
【図９】本発明のシステムに基づく検索結果表示画面の概略的説明図。
【符号の説明】
【００３５】
１    楽曲データテーブル
２    楽曲コードフィールド
３    演奏頻度フィールド
３ａ  演奏頻度数フィールド
３ｂ  演奏頻度割合フィールド
４    予約頻度フィールド
４ａ  予約頻度数フィールド
４ｂ  予約頻度割合フィールド
５    歌手名フィールド
６    曲名フィールド
７    演奏頻度情報
８    予約頻度情報
９    検索結果表示画面
【図１】
2005107259.tif 000003
【図２】
2005107259.tif 000004
【図３】
2005107259.tif 000005
【図４】
2005107259.tif 000006
【図５】
2005107259.tif 000007
【図６】
2005107259.tif 000008
【図７】
2005107259.tif 000009
【図８】
2005107259.tif 000010
【図９】
2005107259.tif 000011